(57)【要約】      （修正有）【課題】電磁弁自身の体積と重量およびコストを減少させ、安定的な可動が可能な電磁弁を提供する。【解決手段】安定して可動する電磁弁は、フレーム素子２とプランジャー３を有し、フレーム素子は、フレーム主体２１、コイル２２と孔部２３から構成され、フレーム主体の外周にコイルが環繞され、内部に孔部が設置される。孔部は、プランジャーを上下に作動させ、プランジャーは、ハウジング３１と磁石ブロック３２から構成され、ハウジング内に磁石ブロックを設置し、磁石ブロックは磁石である。磁石ブロックがコイルにより形成される磁場の磁力吸着効果を増進し、磁場を形成するコイルの巻き数を減少させる。【選択図】図３
0003215438.tif 000002
【実用新案登録請求の範囲】
【請求項１】
安定して可動する電磁弁であって、
フレーム主体、コイルおよび孔部から構成され、前記フレーム主体の外周は、前記コイルが環繞され、且つ、内部には、前記孔部が設けられ、前記孔部は、プランジャーを上下に作動させるフレーム素子と、
ハウジング、磁石ブロックおよび磁気吸着ブロックから構成され、前記ハウジングは、磁気吸着できない材質で構成され、且つ、大きさが同じ前記磁石ブロックと前記磁気吸着ブロックを設置し、前記磁石ブロックは磁石であり、前記磁気吸着ブロックは、磁気吸着できる材質から構成される前記プランジャーと、
を有することを特徴とする電磁弁。
【請求項２】
前記磁気吸着ブロックは、銅または鉄から構成されることを特徴とする請求項１に記載の安定して可動する電磁弁。
【請求項３】
前記プランジャーのハウジングは、プラスチックまたは木材から構成されることを特徴とする請求項１に記載の安定して可動する電磁弁。
【考案の詳細な説明】
【技術分野】
【０００１】
本考案は、電磁弁に関するものであり、さらに詳しくは、安定して可動可能な電磁弁であり、電器上に装着され、往復運動する電機素子を有する電磁弁に関するものである。
【背景技術】
【０００２】
図１は、従来の電磁弁１を示す図であり、電磁弁１内部は、チャネル１１を有し、チャネル１１外周は、大量の導電コイル１２が環繞され、チャネル１１内は、プランジャー１３を有する。プランジャー１３は、磁気吸着できる材質で形成され、これにより、導電コイル１２に通電する時、これらの導電コイル１２は、チャネル１１内で磁場を形成させて、プランジャー１３を吸引し、同時に、図２を参照すると、通電／遮断の方式によって、プランジャー１３を作動させることができる。
【０００３】
しかし、十分な磁石吸着力を発生させるために、チャネル１１外周は、かなり大量のコイル１２を環繞する必要があるので、電磁弁１全体の体積と重量およびコストが増加するという問題がある。
【考案の概要】
【考案が解決しようとする課題】
【０００４】
従って、本考案の課題は、従来の電磁弁が大量のコイルを有することによって、体積と重量およびコストが増加するという問題を効果的に改善する電磁弁を提供することにある。
【課題を解決するための手段】
【０００５】
そこで、本考案者は、前記の本考案の課題を解決するために鋭意検討を重ねた結果、プランジャー３内に磁石ブロック３２と磁気吸着ブロック３３を併設することにより磁石ブロック３２がコイル２２により形成される磁場の磁気吸着効果を増進し、磁場を形成するコイル２２の巻き数が減少することに着目し、かかる知見に基いて本考案に想到するに至った。
【０００６】
すなわち、上述の課題を達成するため、本考案による安定して可動する電磁弁は、フレーム素子とプランジャーを有し、フレーム素子は、フレーム主体、コイルおよび孔部から構成される。フレーム主体の外周はコイルが環繞され、且つ、内部は、孔部が設置される。孔部は、プランジャーを上下に作動させ、プランジャーは、ハウジングと磁石ブロックから構成され、ハウジング内に、磁石ブロックを設置し、且つ、磁石ブロックは磁石である。
【０００７】
かくして、本考案の要旨は次の（１）〜（３）に記載の通りのものである。
（１）安定して可動する電磁弁であって、
フレーム主体、コイルおよび孔部から構成され、前記フレーム主体の外周は前記コイルが環繞され、且つ、内部は前記孔部が設けられ、前記孔部は、プランジャー上下に作動させるフレーム素子と、ハウジング、磁石ブロックと磁気吸着ブロックから構成され、前記ハウジングは、磁気吸着できない材質で構成され、且つ、大きさが同じ前記磁石ブロックと前記磁気吸着ブロックを設置し、前記磁石ブロックは磁石であり、前記磁気吸着ブロックは磁気吸着できる材質から構成される前記プランジャーと、
を有することを特徴とする電磁弁。
（２）前記磁気吸着ブロックは、銅または鉄から構成されることを特徴とする前記（１）に記載の安定して可動する電磁弁。
（３）前記プランジャーのハウジングは、プラスチックまたは木材から構成されることを特徴とする前記（１）に記載の安定して可動する電磁弁。
【考案の効果】
【０００８】
本考案によって、プランジャー内の磁石ブロックにより、コイルにより形成される磁場の磁着吸着効果が増進され、磁場を形成するコイルの巻き数が減少し、さらに、電磁弁自体の体積と重量およびコストを減少させることができる。
【図面の簡単な説明】
【０００９】
【図１】従来の電磁弁の通電時の構造断面図である。
【図２】従来の電磁弁の未通電時の構造断面図である。
【図３】本考案の一実施形態に係る電磁弁の通電時の構造断面図である。
【図４】本考案の一実施形態に係る電磁弁の未通電時の構造断面図である。
【図５】本考案の一実施形態に係る電磁弁の通電時のもう一つの構造断面図である。
【図６】本考案の一実施形態に係る電磁弁の未通電時のもう一つの構造断面図である。
【考案を実施するための形態】
【００１０】
本考案による安定して可動する電磁弁は図３に示されるように、以下の素子から構成される。
【００１１】
フレーム素子２は、フレーム主体２１、コイル２２と孔２３から構成される。フレーム主体２１の外周は、コイル２２を環繞し、且つ、内部は孔２３を設置する。孔２３の下方は出口２３１になっていて、孔２３および出口２３１は、プランジャー３を上下に作動させる。
【００１２】
プランジャー３は、ハウジング３１、磁石ブロック３２と磁気吸着ブロック３３から構成される。ハウジング３１は、磁気吸着できない材質で構成され(たとえば、プラスチック、木材)、且つ、内に、大きさが同じ磁石ブロック３２と磁気吸着ブロック３３を設置し、磁石ブロック３２と磁気吸着ブロック３３は大きさが同じなので、安定した磁場を提供して、磁性影響力を安定させ、磁石ブロック３２と磁気吸着ブロック３３は貼合され、磁石ブロック３２は磁石であり、磁気吸着ブロック３３は、磁気吸着できる材質から構成される(たとえば、銅、鉄)。
【００１３】
図３は、本考案による電磁弁の通電状態を示す図で、この状態下で、通電したコイル２２は、孔２３中で磁場を生成し、さらに、磁石ブロック３２と磁気吸着ブロック３３を有するプランジャー３が孔２３内に吸引され、図４は、未通電の状態を示す図で、この状態下で、孔２３は、プランジャー３を吸引する力を有さず、よって、プランジャー３は、出口２３１外にシフトする。
【００１４】
本考案の長所は、プランジャー３内に、磁石ブロック３２と磁気吸着ブロック３３の組み合わせを設置することにより、磁石ブロック３２が、コイル２２が生成する磁場の磁気吸着効果を増進し、磁場を生成するコイル２２の巻き数が減少して、電磁弁自身の体積と重量、および、コストが減少する。
【００１５】
図５と図６に示されるように、プランジャー３のハウジング３１内に、直接、単一の磁石ブロック３２を設置しても、同様に、上述の効果を達成することができる。
【００１６】
本考案では好ましい実施例を前述の通り開示したが、これらは決して本考案に限定するものではなく、当該技術を熟知する者なら誰でも、本考案の思想を脱しない範囲内で各種の変形を加えることができる。
【符号の説明】
【００１７】
１…電磁弁１１…通道１２…導電コイル１３…プランジャー
２…フレーム素子２１…フレーム主体２２…コイル２３…孔部２３１…出口３…プランジャー３１…ハウジング３２…磁石ブロック３３…磁気吸着ブロック
【図１】
0003215438.tif 000003
【図２】
0003215438.tif 000004
【図３】
0003215438.tif 000005
【図４】
0003215438.tif 000006
【図５】
0003215438.tif 000007
【図６】
0003215438.tif 000008